(57)【要約】【課題】音声を消音することなく会話の内容を秘匿し、かつ音質を変化することなく通話相手に音声を伝えることが可能な携帯端末装置を提供する。【解決手段】情報通信装置と通信する携帯端末装置１００は、ノイズ信号を生成するためのノイズ生成部３１１と、ノイズ信号をノイズ音に変換して出力するための第１のスピーカ１１０と、ノイズ音および音声を混合した音を第１の音信号に変換するための第１のマイク１２０と、第１の音信号、およびノイズ信号の逆位相の信号を合成するための第１の合成部３１３と、第１の合成部により合成された信号を情報通信装置に送信するための送信部３１０とを備える。【選択図】図３
2014179745.tif 000002
【特許請求の範囲】
【請求項１】
情報通信装置と通信する携帯端末装置であって、
ノイズ信号を生成するためのノイズ生成手段と、
前記ノイズ信号をノイズ音に変換して出力するための第１のスピーカと、
前記ノイズ音および音声を混合した音を第１の音信号に変換するためのマイクと、
前記第１の音信号、および前記ノイズ信号の逆位相の信号を合成するための第１の合成手段と、
前記第１の合成手段により合成された信号を前記情報通信装置に送信するための送信部とを備える、携帯端末装置。
【請求項２】
前記ノイズ信号を遅延するための遅延手段、および前記ノイズ信号の振幅を補正するための補正手段のいずれか一方またはその両方をさらに備える、請求項１に記載の携帯端末装置。
【請求項３】
前記情報通信装置から送信された第２の音信号を受信するための受信部と、
前記第２の音信号、および前記ノイズ信号の逆位相の信号を合成するための第２の合成手段と、
前記第２の合成手段により合成された信号を音声に変換して出力するための第２のスピーカとをさらに備える、請求項１または２に記載の携帯端末装置。
【請求項４】
ノイズ信号を送信し、前記ノイズ信号をノイズ音に変換して出力する電子機器と通信する携帯端末装置であって、
前記ノイズ信号を受信するための受信部と、
前記ノイズ音および音声を混合した音を音信号に変換するためのマイクと、
前記音信号、および前記ノイズ信号の逆位相の信号を合成するための合成手段とを備える携帯端末装置。
【請求項５】
情報通信装置と通信する携帯端末装置を制御するためのプログラムであって、
前記携帯端末装置は、プロセッサを備え、
前記プログラムは、前記プロセッサに、
ノイズ信号を生成するステップと、
前記ノイズ信号をノイズ音に変換するステップと、
前記ノイズ音および音声を混合した音を第１の音信号に変換するステップと、
前記第１の音信号、および前記ノイズ信号の逆位相の信号を合成し、合成信号を出力するステップと、
前記合成信号を前記情報通信装置に送信するステップとを実行させる、プログラム。
【発明の詳細な説明】
【技術分野】
【０００１】
この発明は、音声信号を制御する携帯端末装置に関する。
【背景技術】
【０００２】
近年、携帯電話機等の携帯端末装置の普及に伴い、ユーザの会話内容を秘匿する技術が開発されている。たとえば、会話内容を秘匿する技術として、特開２００２−２５１１９９号公報（特許公報１）は、「入力される音声情報そのもの、または、その声紋が外部に漏れることを防止する」ための技術を開示している（［要約］参照）。
【０００３】
特開２００７−２５６６０６号公報（特許公報２）は、「会議中の話し声を外部から保護するための、低予算で簡易なシステムを提供する」ための技術を開示している（［要約］参照）。
【０００４】
特開平０９−０３６９４０号公報（特許公報３）は、「環境音を抑制しうる携帯電話装置等を実現する」ための技術を開示している。また、特許公報３は、「発信地を類推しにくい携帯電話装置等を実現する」ための技術を開示している。さらに、特許公報３は、「周囲で通話内容を聞き取りにくい携帯電話装置等を実現する」ための技術を開示している（［要約］参照）。
【０００５】
特開平０５−１９１４９１号公報（特許公報４）は、「ハンズフリー電話機の離隔点から送話者が通話交信する場合、送話者の通話を妨げず、第三者に対して秘話性を向上せしめる」ための技術を開示している（［要約］参照）。
【先行技術文献】
【特許文献】
【０００６】
【特許文献１】特開２００２−２５１１９９号公報
【特許文献２】特開２００７−２５６６０６号公報
【特許文献３】特開平０９−０３６９４０号公報
【特許文献４】特開平０５−１９１４９１号公報
【発明の概要】
【発明が解決しようとする課題】
【０００７】
ところで、引用文献１に開示されている技術は、検出された音声から逆位相の音を発生させて音声を消音することにより会話を秘匿する。会話を秘匿するためには、会話が聞こえる範囲にいる人物の位置で消音を行わなければならない。しかしながら、会話が聞こえる範囲にいる人物全ての位置を特定することは困難である。
【０００８】
引用文献２に開示されている技術は、洩れた音声よりも大きい音量でＢＧＭ等の音楽を出力することにより会話を秘匿する。しかしながら、大音量の音楽により会話を秘匿すると、会話の内容を把握することが困難になる。
【０００９】
したがって、音声を消音することなく会話の内容を秘匿し、かつ音質を変化することなく通話相手に音声を伝えることが可能な技術が必要とされている。
【００１０】
この開示は上述のような問題点を解決するためになされたものであって、その目的は、音声を消音することなく会話の内容を秘匿し、かつ音質を変化することなく通話相手に音声を伝えることが可能な携帯端末装置、および携帯端末装置を制御するプログラムを提供することである。
【課題を解決するための手段】
【００１１】
一実施の形態に従うと、情報通信装置と通信する携帯端末装置は、ノイズ信号を生成するためのノイズ生成手段と、ノイズ信号をノイズ音に変換して出力するための第１のスピーカと、ノイズ音および音声を混合した音を第１の音信号に変換するためのマイクと、第１の音信号、およびノイズ信号の逆位相の信号を合成するための第１の合成手段と、第１の合成手段により合成された信号を情報通信装置に送信するための送信部とを備える。
【００１２】
好ましくは、携帯端末装置は、ノイズ信号を遅延するための遅延手段、およびノイズ信号の振幅を補正するための補正手段のいずれか一方またはその両方をさらに備える。
【００１３】
好ましくは、携帯端末装置は、情報通信装置から送信された第２の音信号を受信するための受信部と、第２の音信号、およびノイズ信号の逆位相の信号を合成するための第２の合成手段と、第２の合成手段により合成された信号を音声に変換して出力するための第２のスピーカとをさらに備える。
【００１４】
他の実施形態に従うと、ノイズ信号を送信し、当該ノイズ信号をノイズ音に変換して出力する電子機器と通信する携帯端末装置は、ノイズ信号を受信するための受信部と、ノイズ音および音声を混合した音を音信号に変換するためのマイクと、音信号、およびノイズ信号の逆位相の信号を合成するための合成手段とを備える。
【００１５】
他の実施形態に従うと、情報通信装置と通信する携帯端末装置を制御するためのプログラムが提供される。携帯端末装置は、プロセッサを備える。当該プログラムは、プロセッサに、ノイズ信号を生成するステップと、ノイズ信号をノイズ音に変換するステップと、ノイズ音および音声を混合した音を第１の音信号に変換するステップと、第１の音信号、およびノイズ信号の逆位相の信号を合成し、合成信号を出力するステップと、合成信号を情報通信装置に送信するステップとを実行させる。
【００１６】
ある局面において、音声を消音することなく会話の内容を秘匿し、かつ音質を変化することなく通話相手に音声を伝えることができる。
【００１７】
この発明の上記および他の目的、特徴、局面および利点は、添付の図面と関連して理解されるこの発明に関する次の詳細な説明から明らかとなるであろう。
【図面の簡単な説明】
【００１８】
【図１】携帯端末装置１００の外観を示す図である。
【図２】携帯端末装置１００のハードウェア構成を示すブロック図である。
【図３】携帯端末装置１００の機能構成を示すブロック図である。
【図４】音声信号の遅延時間と音声信号レベルとの関係を示す図である。
【図５】携帯端末装置１００の動作の流れを表わすフローチャートである。
【図６】携帯端末装置１００Ａのシステム構成を表わす図である。
【図７】携帯端末装置１００Ａの機能構成を示すブロック図である。
【発明を実施するための形態】
【００１９】
以下、図面を参照しつつ、本実施の形態について説明する。以下の説明では、同一の部品および構成要素には同一の符号を付してある。それらの名称および機能も同じである。したがって、これらについての詳細な説明は繰り返さない。
【００２０】
［第１の実施の形態］
＜概要＞
図１を参照して、携帯端末装置１００の概要について説明する。図１は、携帯端末装置１００の外観を表す図である。図１（Ａ）は、携帯端末装置１００を正面から見た図である。図１（Ｂ）は、携帯端末装置１００を背面から見た図である。
【００２１】
携帯端末装置１００は、第１のスピーカ１１０と、第１のマイク１２０と、第２のスピーカ１３０と、第２のマイク１４０とを備える。携帯端末装置１００は、たとえば、スマートフォン、携帯電話、タブレット型端末等、その他の通話機能を備える携帯型の端末装置であればどんなものでも良い。
【００２２】
第１のスピーカ１１０は、携帯端末装置１００の周りにいる人物に向けてノイズを出力する。たとえば、ノイズは、音楽および雑音である。
【００２３】
第１のマイク１２０は、ユーザの発話を音声信号に変換する。携帯端末装置１００は、当該音声信号を通話相手の携帯端末装置に送信する。たとえば、第１のマイク１２０は、マウスピースである。
【００２４】
第２のスピーカ１３０は、通話相手の携帯端末装置により出力された音声信号を音声に変換し、当該音声を発する。たとえば、第２のスピーカ１３０は、イヤーピースである。
第２のマイク１４０は、第２のスピーカ１３０により出力される音声を補正するために用いられる。当該音声を補正する方法については、図４において説明する。
【００２５】
携帯端末装置１００は、第１のスピーカ１１０が携帯端末装置１００の周りにいる人物に向けてノイズを出力することにより、ユーザの会話を秘匿することを可能にする。また、携帯端末装置１００は、第１のスピーカ１１０が出力するノイズを打ち消して音声信号を送信することにより、音質を変化させることなく音声を伝える。第１のスピーカ１１０が出力するノイズを打ち消す方法ついては、図３において説明する。
【００２６】
＜ハードウェア構成＞
図２を参照して、携帯端末装置１００のハードウェア構成について説明する。図２は、携帯端末装置１００のハードウェア構成の具体例を示すブロック図である。
【００２７】
携帯端末装置１００は、ＣＰＵ（Central  Processing  Unit）２０と、アンテナ２３と、通信装置２４と、操作キーなどのユーザインターフェイス２５と、カメラ２６と、フラッシュメモリ２７と、ＲＡＭ（Random  Access  Memory）２８と、ＲＯＭ（Read  Only  Memory）２９と、メモリカード駆動装置３０と、音声信号処理回路３４と、ディスプレイ３５と、ＬＥＤ（Light  Emitting  Diode）３６と、データ通信Ｉ／Ｆ（インターフェイス）３７と、バイブレータ３８と、第１のスピーカ１１０と、第１のマイク１２０と、第２のスピーカ１３０と、第２のマイク１４０とを備える。メモリカード駆動装置３０には、メモリカード３１が装着され得る。
【００２８】
アンテナ２３は、基地局によって発信される信号を受信する。また、アンテナ２３は、基地局を介して他の通信装置と通信するための信号を送信する。アンテナ２３によって受信された信号は、通信装置２４によってフロントエンド処理が行なわれる。処理後の信号は、ＣＰＵ２０に送られる。
【００２９】
ＣＰＵ２０は、携帯端末装置１００に対して与えられる命令に基づいて携帯端末装置１００の動作を制御するための処理を実行する。携帯端末装置１００のアンテナ２３が信号を受信すると、ＣＰＵ２０は、通信装置２４から送られた信号に基づいて予め規定された処理を実行し、処理後の信号を音声信号処理回路３４に送出する。音声信号処理回路３４は、その信号に対して予め規定された処理を実行し、処理後の信号を第２のスピーカ１３０に送出する。第２のスピーカ１３０は、その信号に基づいて音声を出力する。
【００３０】
第１のマイク１２０は、携帯端末装置１００に対する発話を受け付けて、発話された音声に対応する信号を音声信号処理回路３４に対して送出する。音声信号処理回路３４は、その信号に基づいて通話のために予め規定された処理を実行し、処理後の信号をＣＰＵ２０に対して送出する。ＣＰＵ２０は、その信号を送信用のデータに変換し、変換後のデータを通信装置２４に対して送出する。通信装置２４は、そのデータを用いて送信用の信号を生成し、アンテナ２３に向けてその信号を送出する。
【００３１】
フラッシュメモリ２７は、ＣＰＵ２０から送られるデータを格納する。ＣＰＵ２０は、フラッシュメモリ２７に格納されているデータを読み出し、そのデータを用いて予め規定された処理を実行する。
【００３２】
ＲＡＭ２８は、ＣＰＵ２０によって生成されるデータを一時的に保持する。ＲＯＭ２９は、携帯端末装置１００に予め定められた動作を実行させるためのプログラムあるいはデータを格納している。ＣＰＵ２０は、ＲＯＭ２９から当該プログラムまたはデータを読み出し、携帯端末装置１００の動作を制御する。
【００３３】
メモリカード駆動装置３０は、メモリカード３１に格納されているデータを読み出し、読み出したデータをＣＰＵ２０に送出する。メモリカード駆動装置３０は、ＣＰＵ２０によって出力されるデータを、メモリカード３１の空き領域に書き込む。
【００３４】
音声信号処理回路３４は、上述のような通話のための信号処理を実行する。なお、図２に示される例では、ＣＰＵ２０と音声信号処理回路３４とが別個の構成として示されているが、他の局面において、ＣＰＵ２０と音声信号処理回路３４とが一体として構成されていてもよい。
【００３５】
ディスプレイ３５は、ＣＰＵ２０から与えられるデータに基づいて、当該データによって規定される画像を表示する。
【００３６】
ＬＥＤ３６は、ＣＰＵ２０からの信号に基づいて、予め定められた発光動作を実現する。データ通信Ｉ／Ｆ３７は、データ通信用のケーブルの装着を受け付ける。データ通信Ｉ／Ｆ３７は、ＣＰＵ２０から出力される信号を当該ケーブルに対して送出する。あるいは、データ通信Ｉ／Ｆ３７は、当該ケーブルを介して受信されるデータを、ＣＰＵ２０に対して送出する。他の局面において、データ通信Ｉ／Ｆ３７は、無線であってもよい。
【００３７】
バイブレータ３８は、ＣＰＵ２０から出力される信号に基づいて、予め定められた周波数で発振動作を実行する。
【００３８】
＜機能構成＞
図３を参照して、携帯端末装置１００の機能構成について説明する。図３は、携帯端末装置１００の機能構成の一例を示すブロック図である。
【００３９】
携帯端末装置１００は、ＣＰＵ２０と、第１のスピーカ１１０と、第１のマイク１２０と、第２のスピーカ１３０と、第２のマイク１４０と、送信部３１０と、受信部３２０とを備える。ＣＰＵ２０は、ノイズ信号生成部３１１と、第１の補正部３１２と、第１の合成部３１３と、第２の補正部３１４と、第２の合成部３１５とを含む。
【００４０】
ノイズ信号生成部３１１は、ノイズ信号を生成する。また、ノイズ信号生成部３１１は、当該ノイズ信号を、第１のスピーカ１１０と、第１の補正部３１２と、第２の補正部３１４とに出力する。
【００４１】
第１のスピーカ１１０は、ノイズ信号生成部３１１により出力されたノイズ信号を、ノイズ音に変換する。また、第１のスピーカ１１０は、携帯端末装置１００の外部に向けて当該ノイズ音を発する。
【００４２】
第１の補正部３１２は、ノイズ信号生成部３１１が出力したノイズ信号を補正する。より具体的には、第１の補正部３１２は、当該ノイズ信号と逆位相の信号に変換する（以下、「逆ノイズ信号」と言う）。ある局面において、第１の補正部３１２は、逆ノイズ信号を遅延する。他の局面において、第１の補正部３１２は、逆ノイズ信号の振幅を補正する。逆ノイズ信号の補正方法については、図４において説明する。第１の補正部３１２は、補正信号を第１の合成部３１３に出力する。
【００４３】
第１のマイク１２０は、第１のスピーカ１１０から発せられるノイズ音およびユーザの発話を受け付ける。ノイズ音およびユーザの発話は携帯端末装置１００の外部で混合される。第１のマイク１２０は、当該混合された音声を音信号に変換する。また、第１のマイク１２０は、当該音信号を第１の合成部３１３に出力する。
【００４４】
第１の合成部３１３は、第１の補正部３１２が出力した補正信号、および第１のマイク１２０が出力した音信号を足し合わせる。
【００４５】
第１のマイク１２０により出力される音信号は、ノイズ音とユーザ音声とが混合された音に対応するものである。このため、当該音信号に含まれるノイズ信号は、補正信号（逆ノイズ信号）を足し合わすことで打ち消される。つまり、ユーザの音声信号のみが残る。これにより、ユーザは、音質を変化させることなく通話相手に音声を伝えることができる。第１の合成部３１３は、合成信号を送信部３１０に出力する。送信部３１０は、当該合成信号を通話先の携帯端末装置に送信する。
【００４６】
第２の補正部３１４は、ノイズ信号生成部３１１が出力したノイズ信号を補正する。より具体的には、当該ノイズ信号を逆位相の信号（逆ノイズ信号）に変換する。ある局面において、第２の補正部３１４は、逆ノイズ信号を遅延する。他の局面において、第２の補正部３１４は、逆ノイズ信号の振幅を補正する。逆ノイズ信号の補正方法については、図４において説明する。第２の補正部３１４は、補正信号を第２の合成部３１５に出力する。
【００４７】
受信部３２０は、通話相手の発話に対応する音声信号を受信する。受信部３２０は、受信した音声信号を第２の合成部３１５に出力する。
【００４８】
第２の合成部３１５は、第２の補正部３１４が出力した補正信号、および受信部３２０が受信した音声信号を足し合わせる。第２の合成部３１５は、当該合成された信号を第２のスピーカ１３０に出力する。
【００４９】
第２のスピーカ１３０は、第２の合成部３１５により出力された合成信号を音声に変換して出力する。逆ノイズ音を含む当該音声は、携帯端末装置１００の外部で、第１のスピーカ１１０が出力するノイズ音と混合される。このため、ノイズ音が打ち消され、通話相手の音声のみが残る。これにより、通話相手の音声の音質を保つことができる。
【００５０】
＜補正方法＞
図４を参照して、ノイズ信号の補正方法について説明する。図４は、音声信号の遅延時間と音声信号レベルとの関係を示す図である。
【００５１】
ところで、通話先にノイズ信号を送信しないようにするためには、ノイズ信号生成部３１１により出力されるノイズ信号の逆位相の信号（逆位相信号）と、第１のマイク１２０により出力される信号（以下、「外部音声信号」と言う）とを位相を反転させた状態で同期して足し合わす必要がある。第１の補正部３１２は、当該ノイズ信号から逆ノイズ信号を生成すると共に、逆ノイズ信号を遅延することで、外部音声信号と逆ノイズ信号とを同期させる。以下、当該逆ノイズ信号の遅延時間の特定方法について説明する。
【００５２】
第１の補正部３１２は、ユーザ音声が無い状態で、第１の合成部３１３により出力される音声信号レベルを算出する。その後、第１の補正部３１２は、逆ノイズ信号の遅延時間をゼロから徐々に増加させる。
【００５３】
図４が示すように、遅延時間をゼロから増加させていくと、音声信号レベルが徐々に下がる。遅延時間がＴの時に、音声信号レベル（＝Ｍ）が極小になる。その後、遅延時間をさらに増加させると、音声信号レベルが徐々に増加する。第１の補正部３１２は、逆ノイズ信号を時間Ｔ遅延させることで、外部音声信号および逆ノイズ信号を、位相を反転させた状態で同期し、ノイズ音を打ち消す。これにより、ユーザは、音質を変化させることなく通話相手に音声を伝えることができる。
【００５４】
当該遅延時間は、上記手法を用いて使用環境で動的に調整するように構成されてもよいし、携帯端末装置１００の設計時に予め設定されてもよい。
【００５５】
ある局面において、第１の補正部３１２は、逆ノイズ信号の振幅を補正する。以下、当該逆ノイズ信号の振幅の補正方法について説明する。
【００５６】
第１の補正部３１２は、ユーザ音声が無い状態で、第１の合成部３１３により出力される音声信号レベルを算出する。また、第１の補正部３１２は、逆ノイズ信号の振幅を変化させる。たとえば、第１の補正部３１２は、逆ノイズ信号の振幅に掛ける係数を変更することで振幅を変化させる。第１の補正部３１２は、当該係数を変化させることにより、第１の合成部３１３により出力される音声信号レベルが極小となる係数を特定する。たとえば、第１の補正部３１２は、図４の信号レベルが０に近づくように変化させればよい。
【００５７】
第１の補正部３１２は、逆ノイズ信号に当該特定した係数を掛けることにより振幅を補正する。これにより、ユーザは、音質を変化させることなく通話相手に音声を伝えることができる。
【００５８】
他の局面において、第２の補正部３１４は、逆ノイズ信号を遅延することで、ユーザが音声を聞き取る位置に合わせてノイズ音を打ち消す。以下、当該逆ノイズ信号の遅延時間の特定方法について説明する。
【００５９】
第２のスピーカ１３０は、ユーザ音声が無い状態で、ノイズ信号の逆位相に対応する音（以下、「逆ノイズ音」と言う）を発する。ノイズ音と逆ノイズ音とは、携帯端末装置の外部で混合される。第２のマイク１４０は、ノイズ音と逆ノイズ音とが混合された音を受け付ける。また、第２のマイク１４０は、第２のスピーカ１３０付近に設置される。第２のマイク１４０は、当該音を音信号に変換して、第２の補正部３１４に出力する。
【００６０】
第２の補正部３１４は、当該音信号の信号レベルを算出する。また、第２の補正部３１４は第１の補正部３１２の補正方法と同様に、逆ノイズ信号の遅延時間をゼロから徐々に増加させる。第２の補正部３１４は、音声信号レベルが極小になる遅延時間を特定する。第２の補正部３１４が逆ノイズ信号を当該特定した時間遅延することで、第１のスピーカ１１０から出力されるノイズ信号および逆ノイズ信号は、位相が反転した状態で同期する。このため、ユーザが音声を聞き取る位置でノイズ音を打ち消すことができ、ユーザが聞き取る通話相手の音声の音質は変化しない。
【００６１】
他の局面において、第２の補正部３１４は、逆ノイズ信号の振幅を補正する。当該逆ノイズ信号の振幅の補正方法について説明する。
【００６２】
第２の補正部３１４は、ユーザ音声が無い状態で、第２のマイク１４０により出力される音声信号レベルを算出する。第２の補正部３１４は、逆ノイズ信号の振幅を変化させる。たとえば、第２の補正部３１４は、当該ノイズ信号の振幅に掛ける係数を変化することで振幅を変化させる。
【００６３】
第２の補正部３１４は、第２のマイク１４０により出力される音声信号レベルが極小となる係数を特定する。第２の補正部３１４は、ノイズ信号に当該係数を掛けることにより、ユーザが音声を聞き取る位置でノイズ音が打ち消される。このため、ユーザが聞き取る通話相手の音声の音質は変化しない。
【００６４】
＜制御構造＞
図５は、ある局面における、携帯端末装置１００が実行する処理の一部を表わすフローチャートである。図５の処理は、ＣＰＵ２２０がプログラムを実行することにより実現される。他の局面において、処理の一部又は全部が、回路素子その他のハードウェアによって実行されてもよい。
【００６５】
図５を参照して、ステップＳ５１０において、ＣＰＵ２０は、ノイズ信号生成部３１１として、ノイズ信号を生成する。ある局面において、ノイズ信号生成部３１１は、ノイズ音を常時鳴らす。
【００６６】
他の局面において、ノイズ信号生成部３１１は、ユーザが通話している間にノイズ音を鳴らす。より具体的には、ノイズ信号生成部３１１は、ＣＰＵ２０が、通信装置２４からの着信信号を受信した時から通話の終了を検出するまでの間ノイズ音を鳴らす。また、ノイズ信号生成部３１１は、ＣＰＵ２０が、ユーザインターフェイス２５からの受話操作または架電操作を検出したときから、通話の終了を検出するまでの間ノイズ音を鳴らす。これにより、不要なノイズ音の出力を抑制するとともに消費電力を節減することができる。
【００６７】
ステップＳ５２０において、第１のスピーカ１１０は、ステップＳ５１０で生成されたノイズ信号をノイズ音に変換する。また、第１のスピーカ１１０は、携帯端末装置１００の外部に向けてノイズ音を発生する。
【００６８】
ステップＳ５３０において、第１のマイク１２０は、ステップＳ５２０で第１のスピーカ１１０が発したノイズ音とユーザ音声とが混合された音を音信号に変換する。
【００６９】
ステップＳ５４０において、ＣＰＵ２０は、第１の補正部３１２として、ステップＳ５１０で生成されたノイズ信号の逆位相の信号を生成する。
【００７０】
ステップＳ５５０において、ＣＰＵ２０は、第１の合成部３１３として、ステップＳ５３０で生成された音信号と、ステップＳ５４０で生成された逆位相の信号とを合成する。
【００７１】
ステップＳ５６０において、送信部３１０は、通話先の携帯端末装置にステップＳ５５０で合成された信号を送信する。
【００７２】
以上のようにして、第１の実施の携帯における携帯端末装置１００は、第１のスピーカ１１０から発せられるノイズ音により、ユーザの会話を秘匿することができる。また、ノイズ音を打ち消して通話先の携帯端末装置に音声信号を送信することにより、ユーザ音声の音質を保つことができる。さらに、ユーザが音声を聞き取る位置でノイズ音を打ち消すことにより、通話相手の音声の音質を保つことができる。さらに、他の装置を用いることなく携帯端末装置１００のみで、ユーザの会話を秘匿し、かつユーザ音声の音質を保つことができる。
【００７３】
なお、音声を聞き取る位置でノイズ音を打ち消す場合についても上記と同様の処理を実行する。
【００７４】
具体的には、ＣＰＵ２０は、ノイズ信号生成部３１１として、ノイズ信号を生成する。
そして、第１のスピーカ１１０は、ノイズ信号をノイズ音に変換する。また、第１のスピーカ１１０は、携帯端末装置１００の外部に向けてノイズ音を発生する。そして、第２の補正部３１４は、生成されたノイズ信号の逆位相の信号を生成する。そして、第２の合成部３１５は、受信部３２０で受信した音信号と逆ノイズ信号とを合成する。
【００７５】
そして、第２のスピーカ１３０から受信部３２０で生成された音信号と逆ノイズ信号に従う音を出力する。これにより、ユーザが音声を聞き取る位置でノイズ音を打ち消すことにより、通話相手の音声の音質を保つことができる。さらに、他の装置を用いることなく携帯端末装置１００のみで、ユーザの会話を秘匿し、かつユーザ音声の音質を保つことができる。
【００７６】
［第２の実施の形態］
＜システム構成＞
以下、第２の実施の形態について説明する。本実施の形態に係る携帯端末装置は、テレビ６００がノイズを発生するという点で第１の実施の形態とは異なる。本実施の形態に係る携帯端末装置のハードウェア構成は、第１のスピーカ１１０を備えない点を除いて、第１の実施の形態に係る携帯端末装置と同様である。したがって、ハードウェア構成の説明は繰り返さない。
【００７７】
図６を参照して、携帯端末装置１００Ａのシステム構成について説明する。図６は、携帯端末装置１００Ａのシステム構成を表わす図である。
【００７８】
携帯端末装置１００Ａは、赤外線送信部６１０と、赤外線受信部６２０とを備える。テレビ６００は、制御信号受信部６３０と、音声出力ジャック６４０と、テレビスピーカ６５０とを備える。音声信号送信機６６０は、音声出力ジャック６４０に接続される。
【００７９】
赤外線送信部６１０は、テレビ６００を制御するための信号を制御信号受信部６３０に送信する。たとえば、赤外線送信部６１０は、当該信号により、テレビ６００の電源をＯＮまたはＯＦＦにする。また、赤外線送信部６１０は、当該信号により、テレビ６００の音量を増減する。
【００８０】
テレビスピーカ６５０は、ノイズ音を発する。たとえば、ノイズ音は、テレビ放送による音声である。
【００８１】
音声信号送信機６６０は、音声出力ジャック６４０に接続される。たとえば、音声信号送信機６６０は、トランスミッタである。音声出力ジャック６４０から出力される音声信号は、音声信号送信機６６０に伝送される。音声信号送信機６６０は、当該音声信号を赤外線信号または電波信号に変換して携帯端末装置１００Ａに送信する。
【００８２】
ある局面において、赤外線送信部６１０とテレビ６００とは、有線で接続される。この場合、音声信号送信機６６０は、除くことができる。
【００８３】
携帯端末装置１００Ａは、テレビスピーカ６５０が発するノイズ音により、ユーザの会話を秘匿することができる。すなわち、携帯端末装置１００Ａは、汎用的な機器であるテレビ６００の音声を用いてユーザの会話を秘匿することができる。
【００８４】
＜機能構成＞
図７を参照して、携帯端末装置１００Ａの機能構成について説明する。図７は、携帯端末装置１００Ａの機能構成の一例を示すブロック図である。
【００８５】
携帯端末装置１００Ａは、ＣＰＵ２０と、第１のマイク１２０と、第２のスピーカ１３０と、第２のマイク１４０と、受信部３２０と、送信部３１０と、赤外線送信部６１０と、赤外線受信部６２０とを備える。
【００８６】
ＣＰＵ２０は、第１の補正部３１２と、第１の合成部３１３と、第２の補正部３１４と、第２の合成部３１５と、テレビ制御部７１０とを備える。
【００８７】
テレビ６００は、制御信号受信部６３０と、音声出力ジャック６４０と、テレビスピーカ６５０と、音量制御部７０３と、テレビ音声発生部７０５とを備える。
【００８８】
テレビ制御部７１０は、テレビ６００の音量を制御するための信号を赤外線送信部６１０に出力する。ある局面において、テレビ制御部７１０は、ユーザが通話している間に、テレビ６００の電源をＯＮにするための信号（ＯＮ信号）、またはテレビ６００の音量を増大するための信号（音量信号）を出力する。
【００８９】
より具体的には、ＣＰＵ２０が通信装置２４からの着信信号を受信した時から通話の終了を検出するまでの間に、テレビ制御部７１０は、ＯＮ信号または音量信号を出力する。また、ＣＰＵ２０がユーザインターフェイス２５からの受話操作または架電操作を検出したときから通話の終了を検出するまでの間に、テレビ制御部７１０は、ＯＮ信号または音量信号を出力する。これにより、ユーザがテレビ６００の非使用時に電話を掛けた場合において、テレビ６００からのノイズ音の利用を自動的に開始することができる。
【００９０】
赤外線送信部６１０は、当該信号を制御信号受信部６３０に出力する。制御信号受信部６３０は、赤外線送信部６１０により出力された信号を音量制御部７０３に出力する。音量制御部７０３は、当該信号をテレビ音声発生部７０５に出力する。テレビ音声発生部７０５は、当該信号に基づいて、音声信号を増幅する。ある局面において、テレビ音声発生部７０５は、当該信号に基づいて、テレビ６００の電源をＯＮまたはＯＦＦする。
【００９１】
また、テレビ音声発生部７０５は、テレビ６００の外部向けて出力する音声信号を生成する。テレビ音声発生部７０５は、当該音声信号をテレビスピーカ６５０と、音声出力ジャック６４０とに出力する。当該音声信号は、音声信号送信機６６０を介して、赤外線受信部６２０に送信される。
【００９２】
赤外線受信部６２０は、音声信号を第１の補正部３１２に出力する。第１の補正部３１２は、ノイズ信号である音声信号の逆ノイズ信号を生成する。
【００９３】
以降の処理は、第１の実施の形態で説明したのと同様である。すなわち、第１のマイク１２０は、テレビスピーカ６５０により出力されたノイズ音とユーザ音声とが混合された音を音信号に変換し、第１の合成部３１３に出力する。第１の合成部３１３は、当該音信号と、第１の補正部３１２により生成された音声信号の逆位相の逆ノイズ信号とを合成する。これにより、ユーザは、音質を変化させることなく通話相手に音声を伝えることができる。
【００９４】
第１のマイク１２０は、テレビスピーカ６５０により出力されたノイズ音とユーザ音声とが混合された音を音信号に変換し、第１の合成部３１３に出力する。第１の合成部３１３は、当該音信号と、赤外線受信部６２０が受信した音声信号の逆位相の信号とを合成する。これにより、ユーザは、音質を変化させることなく通話相手に音声を伝えることができる。
【００９５】
なお、音声を聞き取る位置でノイズ音を打ち消す場合についても上記と同様の処理を実行する。
【００９６】
以降の処理は、第１の実施の形態で説明したのと同様である。すなわち、第２の合成部３１５は、受信部３２０で受信した音信号と逆ノイズ信号とを合成する。
【００９７】
そして、第２のスピーカ１３０から受信部３２０で生成された逆ノイズ信号に従う音を出力する。これにより、ユーザが音声を聞き取る位置でノイズ音を打ち消すことにより、通話相手の音声の音質を保つことができる。さらに、他の装置を用いることなく携帯端末装置１００Ａのみで、ユーザの会話を秘匿し、かつユーザ音声の音質を保つことができる。
【００９８】
以上のようにして、第２の実施の携帯における携帯端末装置１００Ａは、テレビスピーカ６５０が発するノイズ音により、ユーザの会話を秘匿することができる。また、汎用的な機器であるテレビ６００を用いてユーザの会話を秘匿することができる。
【００９９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１００】
２０  ＣＰＵ、２３  アンテナ、２４  通信装置、２５  ユーザインターフェイス、２６  カメラ、２７  フラッシュメモリ、２８  ＲＡＭ、２９  ＲＯＭ、３０  メモリカード駆動装置、３１  メモリカード、３２  マイク、３３  スピーカ、３４  音声信号処理回路、３５  ディスプレイ、３６  ＬＥＤ、３７  データ通信Ｉ／Ｆ、３８  バイブレータ、１００  携帯端末装置、１００Ａ  携帯端末装置、１１０  第１のマイク、１２０  第１のスピーカ、１３０  第２のスピーカ、１４０  第２のマイク、３１０  送信部、３１１  ノイズ発生部、３１２  第１の補正部、３１３  第１の合成部、３１４  第２の補正部、３１５  第２の合成部、３２０  受信部、６００  テレビ、６１０  赤外線送信部、６２０  赤外線受信部、６３０  制御信号受信部、６４０  音声出力ジャック、６５０  テレビスピーカ、６６０  音声信号送信機、７０３  音量制御部、７０５  テレビ音声発生部、７１０  テレビ制御部。
【図１】
2014179745.tif 000003
【図２】
2014179745.tif 000004
【図３】
2014179745.tif 000005
【図４】
2014179745.tif 000006
【図５】
2014179745.tif 000007
【図６】
2014179745.tif 000008
【図７】
2014179745.tif 000009